(57)【要約】【課題】選択期間を短くしたとしても、表示品位の低下を防止することができる液晶表示装置を提供する。【解決手段】第１のゲートドライバ１は、奇数番目のゲートラインを順に選択し、選択したゲートラインを所定の選択期間、所定のオン電位に設定する。第２のゲートドライバ２は、奇数番目のゲートラインの選択期間の終了前に、そのゲートラインの次の偶数番目のゲートラインに対する所定のオン電位の設定を開始し、その奇数番目のゲートラインの選択期間の終了後も、その偶数番目のゲートラインを所定のオン電位に設定する。【選択図】図２
2014224916.tif 000002
【特許請求の範囲】
【請求項１】
コモン電極と、マトリクス状に配置された画素電極とを有するとともに、前記画素電極の行毎にゲートラインを有し、前記画素電極の列毎にソースラインを有する液晶パネルと、
前記液晶パネルの奇数番目のゲートラインを所定のオン電位に設定する第１のゲート駆動部と、
前記液晶パネルの偶数番目のゲートラインを前記所定のオン電位に設定する第２のゲート駆動部と、
前記液晶パネルの各ソースラインの電位を設定するソース駆動部とを備え、
第１のゲート駆動部は、連続する２つのフレームのうち少なくとも一方のフレームで、奇数番目のゲートラインを順に選択し、選択したゲートラインを所定の選択期間、前記所定のオン電位に設定し、
第２のゲート駆動部は、少なくとも前記一方のフレームで、奇数番目のゲートラインの選択期間の終了前に、当該ゲートラインの次の偶数番目のゲートラインに対する前記所定のオン電位の設定を開始し、前記奇数番目のゲートラインの選択期間の終了後も引き続き、前記偶数番目のゲートラインを前記所定のオン電位に設定し、
ソース駆動部は、少なくとも前記一方のフレームで、第１のゲート駆動部が奇数番目のゲートラインを前記所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定する
ことを特徴とする液晶表示装置。
【請求項２】
第１のゲート駆動部は、連続する２つのフレームのうち一方のフレームで、奇数番目のゲートラインを順に選択し、選択したゲートラインを所定の選択期間、所定のオン電位に設定し、
第２のゲート駆動部は、前記一方のフレームで、奇数番目のゲートラインの選択期間の終了前に、当該ゲートラインの次の偶数番目のゲートラインに対する前記所定のオン電位の設定を開始し、前記奇数番目のゲートラインの選択期間の終了後も引き続き、前記偶数番目のゲートラインを前記所定のオン電位に設定し、
ソース駆動部は、前記一方のフレームで、第１のゲート駆動部が奇数番目のゲートラインを前記所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定し、
第２のゲート駆動部は、連続する前記２つのフレームのうち他方のフレームで、偶数番目のゲートラインを順に選択し、選択したゲートラインを前記所定の選択期間、前記所定のオン電位に設定し、
第１のゲート駆動部は、前記他方のフレームで、偶数番目のゲートラインの選択期間の終了前に、当該ゲートラインの前の奇数番目のゲートラインに対する前記所定のオン電位の設定を開始し、前記偶数番目のゲートラインの選択期間の終了後も引き続き、前記奇数番目のゲートラインを前記所定のオン電位に設定し、
ソース駆動部は、前記他方のフレームで、第２のゲート駆動部が偶数番目のゲートラインを前記所定のオン電位に設定する場合に、各ソースラインを、当該偶数番目のゲートラインに対応する行の各画素の画像データに応じた電位に設定し、当該偶数番目のゲートラインの選択期間の終了後に、各ソースラインを、当該ゲートラインの前の奇数番目のゲートラインに対応する行の各画素の画像データに応じた電位に設定する
請求項１に記載の液晶表示装置。
【請求項３】
第１のゲート駆動部は、連続する２つのフレームのうち一方のフレームで、奇数番目のゲートラインを順に選択し、選択したゲートラインを所定の選択期間、所定のオン電位に設定し、
第２のゲート駆動部は、前記一方のフレームで、第１のゲート駆動部がゲートラインに対する前記所定のオン電位の設定を開始する時に、当該ゲートラインの次の偶数番目のゲートラインに対する前記所定のオン電位の設定を開始し、前記所定の選択期間の倍の期間、当該偶数番目のゲートラインを前記所定のオン電位に設定し、
第２のゲート駆動部は、連続する前記２つのフレームのうち他方のフレームで、偶数番目のゲートラインを順に選択し、選択したゲートラインを前記所定の選択期間、前記所定のオン電位に設定し、
第１のゲート駆動部は、前記他方のクレームで、第２のゲート駆動部がゲートラインに対する前記所定のオン電位の設定を開始する時に、当該ゲートラインの前の奇数番目のゲートラインに対する前記所定のオン電位の設定を開始し、前記所定の選択期間の倍の期間、当該奇数番目のゲートラインを前記所定のオン電位に設定する
請求項２に記載の液晶表示装置。
【請求項４】
第１のゲート駆動部は、各フレームで、奇数番目のゲートラインを順に選択し、選択したゲートラインを所定の選択期間、所定のオン電位に設定し、
第２のゲート駆動部は、各フレームで、奇数番目のゲートラインの選択期間の終了前に、当該ゲートラインの次の偶数番目のゲートラインに対する前記所定のオン電位の設定を開始し、前記奇数番目のゲートラインの選択期間の終了後も引き続き、前記偶数番目のゲートラインを前記所定のオン電位に設定し、
ソース駆動部は、各フレームで、第１のゲート駆動部が奇数番目のゲートラインを前記所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定する
請求項１に記載の液晶表示装置。
【請求項５】
第１のゲート駆動部は、各フレームで、奇数番目のゲートラインを順に選択し、選択したゲートラインを所定の選択期間、所定のオン電位に設定し、
第２のゲート駆動部は、各フレームで、第１のゲート駆動部がゲートラインに対する前記所定のオン電位の設定を開始する時に、当該ゲートラインの次の偶数番目のゲートラインに対する前記所定のオン電位の設定を開始し、前記所定の選択期間の倍の期間、当該偶数番目のゲートラインを前記所定のオン電位に設定する
請求項４に記載の液晶駆動装置。
【請求項６】
ソース駆動部は、ソースラインに接続される接続端子を複数備え、フレームの終了後、次のフレームの開始までの期間内で、各接続端子を短絡させる
請求項１から請求項５のうちのいずれか１項に記載の液晶駆動装置。
【発明の詳細な説明】
【技術分野】
【０００１】
本発明は、液晶表示装置に関し、特に、奇数番目の行のゲートラインに対応するゲート駆動部と、偶数番目の行のゲートラインに対応するゲート駆動部とを備える液晶表示装置に関する。
【背景技術】
【０００２】
ＴＦＴ（Thin Film Transistor）等のスイッチング素子を有する液晶パネルは、例えば、コモン電極と、マトリクス状に配置された画素電極とを備える。さらに、その液晶パネルは、画素電極の行毎にゲートラインを備え、画素電極の列毎にソースラインを備える。そして、ゲートドライバが、各行のゲートラインを順次選択し、ソースドライバが、各ソースラインの電位を、選択行の各画素の画像データに応じた電位に設定することで画像を表示する。
【０００３】
また、このような液晶パネルと、ゲートドライバおよびソースドライバとを備える液晶表示装置として、奇数番目の行のゲートラインを駆動するゲートドライバと、偶数番目の行のゲートラインを駆動するゲートドライバとを備える構成が提案されている。すなわち、奇数番目の行のゲートラインに対応するゲートドライバと、偶数番目の行のゲートラインに対応するゲートドライバとを別々に設ける構成が提案されている（例えば、特許文献１参照）。
【０００４】
図８は、一般的なゲートラインの駆動波形を示す模式図である。一般に、液晶表示装置のゲートラインは、１本ずつ順番に選択される。そして、選択されたゲートラインは、選択期間Ｔ１の間、所定の電位に設定される。図８では、４行目のゲートラインまでの駆動波形を示しているが、５行目以降の駆動波形も、図８に示す駆動波形と同様である。
【０００５】
選択されたゲートラインが所定の電位に設定されるときに、ソースドライバは、各ソースラインの電位を、そのゲートラインの行の各画素の画像データに応じた電位に設定する。ゲートラインが所定の電位に設定されていることによって、その行の各画素電極は、ソースラインと等電位に変化し、その結果、その行の画像を表示することができる。
【０００６】
奇数番目の行のゲートラインに対応するゲートドライバと、偶数番目の行のゲートラインに対応するゲートドライバとを別々に設けた構成であっても、図８に示すように、ゲートラインが１本ずつ選択され、選択されたゲートラインは、選択期間Ｔ１の間、所定の電位に設定される。
【先行技術文献】
【特許文献】
【０００７】
【特許文献１】特開２００８−２２５４２４号公報
【発明の概要】
【発明が解決しようとする課題】
【０００８】
近年、液晶パネルの高解像度化が要求されている。そのため、選択期間を短くする必要が生じている。
【０００９】
しかし、選択期間を短くすると、ゲートラインを所定の電位に設定することができる時間が短くなってしまう。
【００１０】
また、図８では、所定の電位への立ち上がりエッジを模式的に図示しているが、画素電位はゲートラインがあいて所定の電位の設定を開始してから、所定の画素電位になるまでには、時間がかかる。
【００１１】
従って、選択期間を短くすると、画素電位を所定の電位に設定することができる時間の確保が困難になる。すると、選択行の個々の画素電極をソースラインと等電位に変化させることが困難になる場合も生じ、表示品位が低下する可能性がある。
【００１２】
そこで、本発明は、選択期間を短くしたとしても、表示品位の低下を防止することができる液晶表示装置を提供することを目的とする。
【課題を解決するための手段】
【００１３】
本発明による液晶表示装置は、  コモン電極と、マトリクス状に配置された画素電極とを有するとともに、画素電極の行毎にゲートラインを有し、画素電極の列毎にソースラインを有する液晶パネル（例えば、液晶パネル５）と、液晶パネルの奇数番目のゲートラインを所定のオン電位に設定する第１のゲート駆動部（例えば、第１のゲートドライバ１）と、液晶パネルの偶数番目のゲートラインを所定のオン電位に設定する第２のゲート駆動部（例えば、第２のゲートドライバ２）と、液晶パネルの各ソースラインの電位を設定するソース駆動部（例えば、ソースドライバ３）とを備え、第１のゲート駆動部が、連続する２つのフレームのうち少なくとも一方のフレーム（例えば、フレームＡ）で、奇数番目のゲートラインを順に選択し、選択したゲートラインを所定の選択期間、所定のオン電位に設定し、第２のゲート駆動部が、少なくともその一方のフレームで、奇数番目のゲートラインの選択期間の終了前に、当該ゲートラインの次の偶数番目のゲートラインに対する所定のオン電位の設定を開始し、その奇数番目のゲートラインの選択期間の終了後も引き続き、その偶数番目のゲートラインを所定のオン電位に設定し、ソース駆動部が、少なくともその一方のフレームで、第１のゲート駆動部が奇数番目のゲートラインを所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定することを特徴とする。
【００１４】
第１のゲート駆動部が、連続する２つのフレームのうち一方のフレーム（例えば、フレームＡ）で、奇数番目のゲートラインを順に選択し、選択したゲートラインを所定の選択期間、所定のオン電位に設定し、第２のゲート駆動部が、その一方のフレームで、奇数番目のゲートラインの選択期間の終了前に、当該ゲートラインの次の偶数番目のゲートラインに対する所定のオン電位の設定を開始し、その奇数番目のゲートラインの選択期間の終了後も引き続き、その偶数番目のゲートラインを所定のオン電位に設定し、ソース駆動部が、その一方のフレームで、第１のゲート駆動部が奇数番目のゲートラインを所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定し、第２のゲート駆動部が、連続する２つのフレームのうち他方のフレーム（例えば、フレームＢ）で、偶数番目のゲートラインを順に選択し、選択したゲートラインを所定の選択期間、所定のオン電位に設定し、第１のゲート駆動部が、他方のフレームで、偶数番目のゲートラインの選択期間の終了前に、当該ゲートラインの前の奇数番目のゲートラインに対する所定のオン電位の設定を開始し、その偶数番目のゲートラインの選択期間の終了後も引き続き、その奇数番目のゲートラインを所定のオン電位に設定し、ソース駆動部が、他方のフレームで、第２のゲート駆動部が偶数番目のゲートラインを所定のオン電位に設定する場合に、各ソースラインを、当該偶数番目のゲートラインに対応する行の各画素の画像データに応じた電位に設定し、当該偶数番目のゲートラインの選択期間の終了後に、各ソースラインを、当該ゲートラインの前の奇数番目のゲートラインに対応する行の各画素の画像データに応じた電位に設定する構成であってもよい。
【００１５】
第１のゲート駆動部が、連続する２つのフレームのうち一方のフレーム（例えば、フレームＡ）で、奇数番目のゲートラインを順に選択し、選択したゲートラインを所定の選択期間、所定のオン電位に設定し、第２のゲート駆動部が、その一方のフレームで、第１のゲート駆動部がゲートラインに対する所定のオン電位の設定を開始する時に、当該ゲートラインの次の偶数番目のゲートラインに対する所定のオン電位の設定を開始し、所定の選択期間の倍の期間、当該偶数番目のゲートラインを所定のオン電位に設定し、第２のゲート駆動部が、連続する２つのフレームのうち他方のフレーム（例えば、フレームＢ）で、偶数番目のゲートラインを順に選択し、選択したゲートラインを所定の選択期間、所定のオン電位に設定し、第１のゲート駆動部が、他方のクレームで、第２のゲート駆動部がゲートラインに対する所定のオン電位の設定を開始する時に、当該ゲートラインの前の奇数番目のゲートラインに対する所定のオン電位の設定を開始し、所定の選択期間の倍の期間、当該奇数番目のゲートラインを所定のオン電位に設定する構成であってもよい。
【００１６】
第１のゲート駆動部が、各フレームで、奇数番目のゲートラインを順に選択し、選択したゲートラインを所定の選択期間、所定のオン電位に設定し、第２のゲート駆動部が、各フレームで、奇数番目のゲートラインの選択期間の終了前に、当該ゲートラインの次の偶数番目のゲートラインに対する所定のオン電位の設定を開始し、その奇数番目のゲートラインの選択期間の終了後も引き続き、その偶数番目のゲートラインを所定のオン電位に設定し、ソース駆動部が、各フレームで、第１のゲート駆動部が奇数番目のゲートラインを所定のオン電位に設定する場合に、各ソースラインを、当該奇数番目のゲートラインに対応する行の各画素の画像データに応じた電位に設定し、当該奇数番目のゲートラインの選択期間の終了後に、各ソースラインを、当該ゲートラインの次の偶数番目のゲートラインに対応する行の各画素の画像データに応じた電位に設定する構成であってもよい。
【００１７】
第１のゲート駆動部が、各フレームで、奇数番目のゲートラインを順に選択し、選択したゲートラインを所定の選択期間、所定のオン電位に設定し、第２のゲート駆動部が、各フレームで、第１のゲート駆動部がゲートラインに対する所定のオン電位の設定を開始する時に、当該ゲートラインの次の偶数番目のゲートラインに対する所定のオン電位の設定を開始し、所定の選択期間の倍の期間、当該偶数番目のゲートラインを所定のオン電位に設定する構成であってもよい。
【００１８】
ソース駆動部が、ソースラインに接続される接続端子を複数備え、フレームの終了後、次のフレームの開始までの期間内で、各接続端子を短絡させる構成であってもよい。
【発明の効果】
【００１９】
本発明によれば、選択期間を短くしたとしても、表示品位の低下を防止することができる。
【図面の簡単な説明】
【００２０】
【図１】本発明の液晶表示装置に設けられるＴＦＴ液晶パネルの構成例を示す説明図。
【図２】本発明の液晶表示装置の構成例を示すブロック図。
【図３】フレームＡで、奇数番目のゲートラインおよび偶数番目のゲートラインを所定のオン電位ＶｇＨに設定する期間の例を示す説明図。
【図４】フレームＢで、奇数番目のゲートラインおよび偶数番目のゲートラインを所定のオン電位ＶｇＨに設定する期間の例を示す説明図。
【図５】第１のゲートドライバ１および第２のゲートドライバ２の構成例を示す模式図。
【図６】フレームＡでの駆動波形の例を示す説明図。
【図７】フレームＢでの駆動波形の例を示す説明図。
【図８】一般的なゲートラインの駆動波形を示す模式図。
【発明を実施するための形態】
【００２１】
以下、本発明の実施形態を図面を参照して説明する。以下の説明では、液晶パネルがＴＦＴ液晶パネルである場合を例にして説明する。
【００２２】
［実施形態１］図１は、本発明の液晶表示装置に設けられるＴＦＴ液晶パネルの構成例を示す説明図である。ＴＦＴ液晶パネルは、画素毎にＴＦＴ２２と画素電極２１を備える。図１では、ＴＦＴ２２と画素電極２１を１つだけ図示し、他のＴＦＴおよび画素電極の図示を省略している。ＴＦＴ液晶パネルには、各画素電極と対向するコモン電極３０が設けられる。本例では、ＴＦＴ液晶パネルに設けられるコモン電極が１枚である場合を例にして説明する。コモン電極３０と各画素電極２１とによって液晶層（図示略。）が挟持される。
【００２３】
各画素は、マトリクス状に配置される。すなわち、図１に示すＴＦＴ２２と画素電極２１との組み合わせは、マトリクス状に配置される。
【００２４】
画素電極２１は、ＴＦＴ２２のドレイン２２ｂに接続される。また、ＴＦＴ２２のソース２２ｃは、ソースラインＳｋに接続され、ＴＦＴ２２のゲート２２ａは、ゲートラインＧｉに接続される。ゲートラインＧｉを介してゲート２２ａの電位が所定のオン電位に設定されると、ソース２２ｃとドレイン２２ｂとの間が導通状態となり、画素電極２１がソースラインＳｋと等しい電位に設定される。ゲート２２ａの電位が所定のオフ電位に設定されると、ソース２２ｃとドレイン２２ｂとの間が非導通状態となり、ソースラインＳｋと画素電極２１の間も非導通状態に切り替えられる。所定のオン電位とは、ソース２２ｃとドレイン２２ｂとの間を導通状態にするためのゲート２２ａの所定電位である。所定のオフ電位とは、ソース２２ｃとドレイン２２ｂとの間を非導通状態にするためのゲート２２ａの所定電位である。以下、所定のオン電位をＶｇＨと表し、所定のオフ電位をＶｇＬと表すことにする。
【００２５】
液晶パネルにおいて、マトリクス状に配置された画素電極２１の列毎にソースラインが設けられる。また、マトリクス状に配置された画素電極２１の行毎にゲートラインが設けられる。図１では、第ｉ行のゲートラインＧｉおよび第ｋ列のソースラインＳｋを図示している。
【００２６】
なお、コモン電極３０は、コモン電極ドライバ（図示略）によって一定の電位Ｖ０に保たれる。
【００２７】
図２は、本発明の液晶表示装置の構成例を示すブロック図である。本発明の液晶表示装置は、液晶パネル５（本実施形態では、ＴＦＴ液晶パネル）と、第１のゲートドライバ１と、第２のゲートドライバ２と、ソースドライバ３と、タイミングコントローラ４とを備える。
【００２８】
第１のゲートドライバ１は、タイミングコントローラ４に従って、液晶パネル５の奇数番目のゲートラインを所定のオン電位ＶｇＨに設定する。また、第２のゲートドライバ２は、タイミングコントローラ４に従って、液晶パネル５の偶数番目のゲートラインを所定のオン電位ＶｇＨに設定する。
【００２９】
ソースドライバ３は、液晶パネル５の個々のソースラインに接続される接続端子を複数備える。一つの接続端子には、一本のソースラインが接続される。そして、ソースドライバ３は、タイミングコントローラ４に従って、各ソースラインの電位を設定する。
【００３０】
タイミングコントローラ４は、第１のゲートドライバ１、第２のゲートドライバ２およびソースドライバ３を制御する。
【００３１】
第１のゲートドライバ１、第２のゲートドライバ２およびソースドライバ３は、連続する２つのフレーム（フレームＡ，Ｂと記す。）のうち、少なくとも一方のフレーム（ここでは、フレームＡとする。）で、タイミングコントローラ４に従って、以下に示す動作を行う。なお、フレームＢにおける動作については後述する。
【００３２】
フレームＡにおいて、第１のゲートドライバ１は、奇数番目のゲートラインを順に１本ずつ選択し、選択したゲートラインを所定の選択期間、所定のオン電位ＶｇＨに設定する。以下、この選択期間の長さをＴとする。第１のゲートドライバ１は、選択期間Ｔが経過すると、選択したゲートラインを所定のオフ電位ＶｇＬに設定する。
【００３３】
第２のゲートドライバ２は、フレームＡで、奇数番目のゲートラインの選択期間の終了前に、そのゲートラインの次の偶数番目のゲートラインに対する所定のオン電位ＶｇＨの設定を開始する。そして、第２のゲートドライバ２は、その奇数番目のゲートラインの選択期間の終了後も引き続き、その偶数番目のゲートラインを所定のオン電位ＶｇＨに設定し、その後、その偶数番目のゲートラインを所定のオフ電位ＶｇＬに設定する。
【００３４】
図３は、フレームＡで、奇数番目のゲートラインおよび偶数番目のゲートラインを所定のオン電位ＶｇＨに設定する期間の例を示す説明図である。図３および後述の図４では、奇数を２ｎ−１で表し、偶数を２ｎで表す。ただし、ｎ＝１，２，３，・・・である。第１のゲートドライバ１は、奇数番目のゲートラインを１本選択すると、選択期間Ｔの間、そのゲートラインの電位を所定のオン電位ＶｇＨに設定する。
【００３５】
そして、第２のゲートドライバ２は、その奇数番目のゲートラインの選択期間の終了前に、そのゲートラインの次の偶数番目のゲートラインに対する所定のオン電位ＶｇＨの設定を開始する。本実施形態では、第１のゲートドライバ１が奇数番目のゲートラインに対する所定のオン電位ＶｇＨの設定を開始する時に、第２のゲートドライバ２も、そのゲートラインの次の偶数番目のゲートラインに対する所定のオン電位ＶｇＨの設定を開始する場合を例にして説明する（図３参照）。そして、第２のゲートドライバ２は、その奇数番目のゲートラインの選択期間の終了後も、その偶数番目のゲートラインを所定のオン電位ＶｇＨに設定し、その後、その偶数番目のゲートラインを所定のオフ電位ＶｇＬに設定する。本実施形態では、第２のゲートドライバ２が、選択期間Ｔの倍の期間、その偶数番目のゲートラインを所定のオン電位ＶｇＨに設定する場合を例にして説明する（図３参照）。従って、第２のゲートドライバ２は、偶数番目のゲートラインに対する所定のオン電位ＶｇＨの設定開始後、２Ｔの期間が経過すると、その偶数番目のゲートラインを所定のオフ電位ＶｇＬに設定する。その後、第１のゲートドライバ１は、次の奇数番目のゲートラインを選択し、第１のゲートドライバ１および第２のゲートドライバ２は、同様の動作を繰り返す。
【００３６】
ソースドライバ３は、第１のゲートドライバ１が奇数番目のゲートラインを所定のオン電位ＶｇＨに設定する場合に、各ソースラインを、その奇数番目のゲートラインの行の各画素の画像データに応じた電位に設定する。そして、ソースドライバ３は、その奇数番目のゲートラインの選択期間の終了後に、各ソースラインを、そのゲートラインの次の偶数番目のゲートラインに対応する行の各画素の画像データに応じた電位に設定する。従って、例えばｎ＝１とすると、ソースドライバ３は、各ソースラインの電位を、１行目の各画素の画像データに応じた電位に設定し、その後、２行目の各画素の画像データに応じた電位に設定する。このように、奇数番目の行とその次の偶数番目の行との組み合わせに着目した場合、ソースドライバ３は、個々のソースラインの電位を、行の並び順に、行の画像データに応じた電位に設定する。よって、フレームＡでは、ソースドライバ３は、１行目の画素の画像データ、２行目の画素の画像データ、３行目の画素の画像データ、４行目の画素の画像データ、・・・の順に、各ソースラインの電位を設定する。
【００３７】
連続する２つのフレームＡ，Ｂのうち、もう一方のフレームＢでは、第１のゲートドライバ１、第２のゲートドライバ２およびソースドライバ３は、タイミングコントローラ４に従って、以下に示す動作を行う。
【００３８】
フレームＢにおいて、第２のゲートドライバ２は、偶数番目のゲートラインを順に１本ずつ選択し、選択したゲートラインを選択期間Ｔの間、所定のオン電位ＶｇＨに設定する。第２のゲートドライバ２は、選択期間Ｔが経過すると、選択したゲートラインを所定のオフ電位ＶｇＬに設定する。
【００３９】
第１のゲートドライバ１は、フレームＢで、偶数番目のゲートラインの選択期間の終了前に、そのゲートラインの前の奇数番目のゲートラインに対する所定のオン電位ＶｇＨの設定を開始する。そして、第１のゲートドライバ１は、その偶数番目のゲートラインの選択期間の終了後も引き続き、その奇数番目のゲートラインを所定のオン電位ＶｇＨに設定し、その後、その奇数番目のゲートラインを所定のオフ電位ＶｇＬに設定する。
【００４０】
図４は、フレームＢで、奇数番目のゲートラインおよび偶数番目のゲートラインを所定のオン電位ＶｇＨに設定する期間の例を示す説明図である。第２のゲートドライバ２は、偶数番目のゲートラインを１本選択すると、選択期間Ｔの間、そのゲートラインの電位を所定のオン電位ＶｇＨに設定する。
【００４１】
そして、第１のゲートドライバ１は、その偶数番目のゲートラインの選択期間の終了前に、そのゲートラインの前の奇数番目のゲートラインに対する所定のオン電位ＶｇＨの設定を開始する。本実施形態では、第２のゲートドライバ２が偶数番目のゲートラインに対する所定のオン電位ＶｇＨの設定を開始する時に、第１のゲートドライバ１も、そのゲートラインの前の奇数番目のゲートラインに対する所定のオン電位ＶｇＨの設定を開始する場合を例にして説明する（図４参照）。そして、第１のゲートドライバ１は、その偶数番目のゲートラインの選択期間の終了後も、その奇数番目のゲートラインを所定のオン電位ＶｇＨに設定し、その後、その奇数番目のゲートラインを所定のオフ電位ＶｇＬに設定する。本実施形態では、第１のゲートドライバ１が、選択期間Ｔの倍の期間、その奇数番目のゲートラインを所定のオン電位ＶｇＨに設定する場合を例にして説明する（図４参照）。従って、第１のゲートドライバ１は、奇数番目のゲートラインに対する所定のオン電位ＶｇＨの設定開始後、２Ｔの期間が経過すると、その奇数番目のゲートラインを所定のオフ電位ＶｇＬに設定する。その後、第２のゲートドライバ２は、次の偶数番目のゲートラインを選択し、第２のゲートドライバ２および第１のゲートドライバ１は、同様の動作を繰り返す。
【００４２】
ソースドライバ３は、第２のゲートドライバ２が偶数番目のゲートラインを所定のオン電位ＶｇＨに設定する場合に、各ソースラインを、その偶数番目のゲートラインの行の各画素の画像データに応じた電位に設定する。そして、ソースドライバ３は、その偶数番目のゲートラインの選択期間の終了後に、各ソースラインを、そのゲートラインの前の奇数番目のゲートラインに対応する行の各画素の画像データに応じた電位に設定する。従って、例えばｎ＝１とすると、ソースドライバ３は、各ソースラインの電位を、２行目の各画素の画像データに応じた電位に設定し、その後、１行目の各画素の画像データに応じた電位に設定する。このように、奇数番目の行とその次の偶数番目の行との組み合わせに着目した場合、ソースドライバ３は、個々のソースラインの電位を、行の並びとは逆順に、行の画像データに応じた電位に設定する。よって、フレームＢでは、ソースドライバ３は、２行目の画素の画像データ、１行目の画素の画像データ、４行目の画素の画像データ、３行目の画素の画像データ、・・・の順に、各ソースラインの電位を設定する。
【００４３】
図５は、第１のゲートドライバ１および第２のゲートドライバ２の構成例を示す模式図である。第１のゲートドライバ１および第２のゲートドライバ２は、いずれも、電位出力部８と、出力制御部９とを備える。各ゲートドライバ１，２には同様の電位出力部８が設けられる。また、各ゲートドライバ１，２には同様の出力制御部９が設けられる。
【００４４】
電位出力部８は、電位出力端Ｒ１，Ｒ２，・・・を備える。一方の側（図５に示す例では左側）からｉ番目の電位出力端をＲｉと記す。そして、電位出力部８は、タイミングコントローラ４に従って、各電位出力端Ｒ１，Ｒ２，・・・から所定のオン電位ＶｇＨまたは所定のオフ電位ＶｇＬを出力する。各電位出力部８は同様であるが、第１のゲートドライバ１の電位出力部８の各電位出力端Ｒ１，Ｒ２，・・・は、奇数番目のゲートラインに対応し、第２のゲートドライバ２の電位出力部８の各電位出力端Ｒ１，Ｒ２，・・・は、偶数番目のゲートラインに対応している。
【００４５】
出力制御部９は、電位出力端Ｒ１，Ｒ２，・・・に対応する電位出力端Ｑ１，Ｑ２，・・・を備える。第１のゲートドライバ１の出力制御部９の電位出力端Ｑ１，Ｑ２，・・・は、それぞれ順番に奇数番目のゲートラインに接続される。例えば、第１のゲートドライバ１において、電位出力端Ｑ１は、１行目のゲートラインに接続され、電位出力端Ｑ２は、３行目のゲートラインに接続される。これに対し、第２のゲートドライバ２の電位出力端Ｑ１，Ｑ２，・・・は、それぞれ順番に偶数番目のゲートラインに接続される。例えば、第２のゲートドライバ２において、電位出力端Ｑ１は、２行目のゲートラインに接続され、電位出力端Ｑ２は、４行目のゲートラインに接続される。
【００４６】
出力制御部９は、電位出力部８の電位出力端Ｒｉが所定のオン電位ＶｇＨを出力した場合、タイミングコントローラ４の制御に従って、その電位出力端Ｒｉに対応する電位出力端Ｑｉから、所定のオン電位ＶｇＨまたは所定のオフ電位ＶｇＬを出力する。従って、電位出力端Ｒｉから所定のオン電位ＶｇＨが出力されても、電位出力端Ｑｉから所定のオン電位ＶｇＨが出力されるとは限らない。
【００４７】
また、出力制御部９は、電位出力部８の電位出力端Ｒｉが所定のオフ電位ＶｇＬを出力した場合、その電位出力端Ｒｉに対応する電位出力端Ｑｉから、所定のオフ電位ＶｇＬをそのまま出力する。
【００４８】
以下、第１のゲートドライバ１の電位出力部８および出力制御部９を、添え字“ａ”を付して表す。また、第２のゲートドライバ２の電位出力部８および出力制御部９を、添え字“ｂ”を付して表す。
【００４９】
タイミングコントローラ４は、電位出力部８ａ，８ｂに対する共通の制御信号としてゲートクロック（以下、ＧＣＬＣと記す。）およびゲートスタートパルス（以下、ＳＴＶと記す。）を出力する。また、タイミングコントローラ４は、出力制御部９ａに対する制御信号として、第１のアウトプットイネーブル信号（以下、ＯＥ１と記す。）を出力する。また、タイミングコントローラ４は、出力制御部９ｂに対する制御信号として、第２のアウトプットイネーブル信号（以下、ＯＥ２と記す。）を出力する。これらの各制御信号については後述する。
【００５０】
次に、駆動波形を参照して、本発明の動作を説明する。
【００５１】
図６は、フレームＡでの駆動波形の例を示す説明図である。タイミングコントローラ４は、フレームＡ，Ｂに依らずに、ＧＣＬＫを一定期間毎に、ハイレベル、ローレベルに交互に切り替える。この期間の長さをＳとする（図６参照）。ＧＣＬＫは、各電位出力部８ａ，８ｂに、所定のオン電位ＶｇＨを出力する電位出力端を切り替えさせる制御信号である。各電位出力部８ａ，８ｂは、ＧＣＬＫの立ち上がりエッジ毎に、所定のオン電位ＶｇＨを出力する電位出力端をＲｉからＲｉ＋１に切り替える。また、各電位出力部８ａ，８ｂは、所定のオン電位ＶｇＨを出力している１つの電位出力端以外の他の電位出力端から所定のオフ電位ＶｇＬを出力する。
【００５２】
また、ＳＴＶは、最初の電位出力端Ｒ１から所定のオン電位ＶｇＨを出力することを指示するための制御信号である。タイミングコントローラ４は、１つのフレームの開始後に、ＳＴＶをローレベルからハイレベルに切り替える。各電位出力部８ａ，８ｂは、ＳＴＶがハイレベルである期間中に、ＧＣＬＫの立ち上がりエッジを検出すると、最初の電位出力端Ｒ１から所定のオン電位ＶｇＨを出力し、他の電位出力端から所定のオフ電位ＶｇＬを出力する。その後、ＧＣＬＫの立ち上がりエッジ毎に（換言すれば、２Ｓの期間が経過する毎に）、所定のオン電位ＶｇＨを出力する電位出力端を切り替える。また、タイミングコントローラ４は、ＳＴＶをハイレベルにし、ＧＣＬＫをハイレベルにした後、ＳＴＶをローレベルに戻す。そして、そのフレーム内で、ＳＴＶをローレベルのまま維持する。
【００５３】
ＯＥ１は、出力制御部９ａの電位出力端からの出力電位を制御する制御信号である。同様に、ＯＥ２は、出力制御部９ｂの電位出力端からの出力電位を制御する制御信号である。
【００５４】
出力制御部９ａは、ＯＥ１がローレベルである場合に、電位出力部８ａの各電位出力端Ｒ１，Ｒ２，・・・から出力された電位を、その各電位出力端Ｒ１，Ｒ２，・・・に対応する各電位出力端Ｑ１，Ｑ２，・・・からそのまま出力する。従って、任意の電位出力端Ｒｉから所定のオン電位ＶｇＨが出力されている場合、出力制御部９ａは、電位出力端Ｑｉから所定のオン電位ＶｇＨを出力する。また、出力制御部９ａは、ＯＥ１がハイレベルである場合、所定のオン電位ＶｇＨを出力している電位出力部８ａの電位出力端（Ｒｉとする。）に対応する電位出力端Ｑｉから、所定のオフ電位ＶｇＬを出力する。そして、電位出力部８ａの他の電位出力端からの出力電位は、対応する電位出力端からそのまま出力する。従って、ＯＥ１がハイレベルである場合、出力制御部９ａは、各電位出力端から所定のオフ電位ＶｇＬを出力する。
【００５５】
ＯＥ２に対する出力制御部９ｂの動作は、ＯＥ１に対する出力制御部９ａの動作と同様である。すなわち、出力制御部９ｂは、ＯＥ２がローレベルである場合に、電位出力部８ｂの各電位出力端Ｒ１，Ｒ２，・・・から出力された電位を、その各電位出力端Ｒ１，Ｒ２，・・・に対応する各電位出力端Ｑ１，Ｑ２，・・・からそのまま出力する。また、出力制御部９ｂは、ＯＥ２がハイレベルである場合、所定のオン電位ＶｇＨを出力している電位出力部８ｂの電位出力端（Ｒｉとする。）に対応する電位出力端Ｑｉから、所定のオフ電位ＶｇＬを出力する。そして、電位出力部８ｂの他の電位出力端からの出力電位は、対応する電位出力端からそのまま出力する。
【００５６】
フレームＡにおいて、タイミングコントローラ４は、ＧＣＬＫの立ち上がりエッジから、選択期間Ｔの間、ＯＥ１をローレベルに設定し、選択期間Ｔが終了すると、次のＧＣＬＫの立ち上がりエッジまでＯＥ１をハイレベルに設定する。次のＧＣＬＫの立ち上がりエッジ後も、タイミングコントローラ４は、上記と同様にＯＥ１のレベルを設定する（図６参照）。
【００５７】
また、フレームＡにおいて、タイミングコントローラ４は、ＧＣＬＫの立ち上がりエッジから、選択期間Ｔの２倍の長さの期間（すなわち、期間２Ｔの間）、ＯＥ２をローレベルに設定し、その期間２Ｔが終了すると、次のＧＣＬＫの立ち上がりエッジまでＯＥ２をハイレベルに設定する。次のＧＣＬＫの立ち上がりエッジ後も、タイミングコントローラ４は、上記と同様にＯＥ２のレベルを設定する（図６参照）。
【００５８】
なお、Ｔ＜Ｓである。Ｔ＜Ｓとする理由は、出力制御部９の電位出力端の電位を、所定のオン電位ＶｇＨから所定のオフ電位ＶｇＬに切り替えたとしても、その電位出力端に接続されたゲートラインの電位が実際に所定のオフ電位ＶｇＬまで低下するのに時間を要するためである。
【００５９】
前述のように各制御信号ＧＣＬＫ、ＳＴＶ、ＯＥ１，ＯＥ２がタイミングコントローラ４から出力されることにより、フレームＡでは、第１のゲートドライバ１および第２のゲートドライバ２は、以下のように動作する。
【００６０】
第１のゲートドライバ１の電位出力部８ａおよび第２のゲートドライバ２の電位出力部８ｂは、いずれも、ＳＴＶがハイレベルである期間中にＧＣＬＫの立ち上がりエッジを検出すると、次のＧＣＬＫの立ち上がりエッジまでの期間中、電位出力端Ｒ１から所定のオン電位ＶｇＨを出力し、他の電位出力端から所定のオフ電位ＶｇＬを出力する。
【００６１】
そして、そのＧＣＬＫの立ち上がりエッジから、選択期間Ｔの間、ＯＥ１はローレベルであり、その後、ＯＥ１はハイレベルとなる。従って、出力制御部９ａは、その選択期間Ｔの間、電位出力端Ｑ１から所定のオン電位ＶｇＨを出力し、その後、所定のオフ電位ＶｇＬを出力する。また、そのＧＣＬＫの立ち上がりエッジから２Ｔの長さの期間、ＯＥ２はローレベルであり、その後、ＯＥ２はハイレベルとなる。出力制御部９ｂは、その２Ｔの長さの期間、電位出力端Ｑ１から所定のオン電位ＶｇＨを出力し、その後、所定のオフ電位ＶｇＬを出力する。
【００６２】
この結果、そのＧＣＬＫの立ち上がりエッジから選択期間Ｔの間、液晶パネル５の第１行のゲートラインの電位は、所定のオン電位ＶｇＨとなる。また、そのＧＣＬＫの立ち上がりエッジから２Ｔの長さの期間、液晶パネル５の第２行のゲートラインの電位は、所定のオン電位ＶｇＨとなる。また、そのＧＣＬＫの立ち上がりエッジから選択期間Ｔの間、ソースドライバ３は、タイミングコントローラ４に従って、各ソースラインの電位を、第１行の各画素の画像データに応じた電位に設定する。従って、ＧＣＬＫの立ち上がりエッジから選択期間Ｔの間に第１行の各画素電極は対応するソースラインと等電位になり、各画素電極とコモン電極３０（図１参照）の電位Ｖ０との電位差によって、第１行の各画素が、第１行の画像データに応じた表示状態となる。なお、このとき、第２行のゲートラインの電位も所定のオン電位ＶｇＨであるので、第２行の各画素も、第１行の画像データに応じた表示状態となる。
【００６３】
選択期間Ｔが終了すると、第１行のゲートラインの電位は、所定のオフ電位ＶｇＬになり、第１行の表示状態が維持される。選択期間Ｔの終了後も、第２行のゲートラインの電位は、所定のオン電位ＶｇＨに設定されている。そして、選択期間Ｔが終了後、上記の２Ｔの長さの期間が終了するまで、ソースドライバ３は、タイミングコントローラ４に従って、各ソースラインの電位を、第２行の各画素の画像データに応じた電位に設定する。よって、選択期間Ｔが終了後、上記の２Ｔの長さの期間が終了するまでの間に、第２行の各画素電極は対応するソースラインと等電位になり、各画素電極とコモン電極３０の電位Ｖ０との電位差によって、第２行の各画素が、第２行の画像データに応じた表示状態となる。上記の２Ｔの長さの期間が終了すると、第２行のゲートラインの電位は、所定のオフ電位ＶｇＬになり、第２行の表示状態が維持される。
【００６４】
電位出力部８ａおよび電位出力部８ｂは、次のＧＣＬＫの立ち上がりエッジを検出すると、所定のオン電位ＶｇＨを出力する電位出力端をＲ１からＲ２に切り替える。また、このＧＣＬＫの立ち上がりエッジから、選択期間Ｔの間、ＯＥ１はローレベルであり、その後、ＯＥ１はハイレベルとなる。また、そのＧＣＬＫの立ち上がりエッジから２Ｔの長さの期間、ＯＥ２はローレベルであり、その後、ＯＥ２はハイレベルとなる。この結果、上記の場合と同様に、第３行の各画素が、第３行の画像データに応じた表示状態となり、第４行の各画素が、第４行の画像データに応じた表示状態となる。
【００６５】
以降、同様に、各行が画像データに応じた表示状態となることで、画像が表示される。
【００６６】
図７は、フレームＢでの駆動波形の例を示す説明図である。タイミングコントローラ４がＧＣＬＫ，ＳＴＶを出力する動作は、フレームＡと同様である。従って、各電位出力部８ａ，８ｂの動作もフレームＡと同様である。
【００６７】
フレームＢでは、タイミングコントローラ４は、ＧＣＬＫの立ち上がりエッジから、選択期間Ｔの間、ＯＥ２をローレベルに設定し、選択期間Ｔが終了すると、次のＧＣＬＫの立ち上がりエッジまでＯＥ２をハイレベルに設定する。次のＧＣＬＫの立ち上がりエッジ後も、タイミングコントローラ４は、上記と同様にＯＥ２のレベルを設定する（図７参照）。
【００６８】
また、フレームＢにおいて、タイミングコントローラ４は、ＧＣＬＫの立ち上がりエッジから、選択期間Ｔの２倍の長さの期間（期間２Ｔの間）、ＯＥ１をローレベルに設定し、その期間２Ｔが終了すると、次のＧＣＬＫの立ち上がりエッジまでＯＥ１をハイレベルに設定する。次のＧＣＬＫの立ち上がりエッジ後も、タイミングコントローラ４は、上記と同様にＯＥ１のレベルを設定する（図７参照）。
【００６９】
このように各制御信号ＧＣＬＫ、ＳＴＶ、ＯＥ１，ＯＥ２がタイミングコントローラ４から出力されることにより、フレームＢでは、第１のゲートドライバ１および第２のゲートドライバ２は、以下のように動作する。
【００７０】
第１のゲートドライバ１の電位出力部８ａおよび第２のゲートドライバ２の電位出力部８ｂは、いずれも、ＳＴＶがハイレベルである期間中にＧＣＬＫの立ち上がりエッジを検出すると、次のＧＣＬＫの立ち上がりエッジまでの期間中、電位出力端Ｒ１から所定のオン電位ＶｇＨを出力し、他の電位出力端から所定のオフ電位ＶｇＬを出力する。
【００７１】
そして、そのＧＣＬＫの立ち上がりエッジから、選択期間Ｔの間、ＯＥ２はローレベルであり、その後、ＯＥ２はハイレベルとなる。従って、出力制御部９ｂは、その選択期間Ｔの間、電位出力端Ｑ１から所定のオン電位ＶｇＨを出力し、その後、所定のオフ電位ＶｇＬを出力する。また、そのＧＣＬＫの立ち上がりエッジから２Ｔの長さの期間、ＯＥ１はローレベルであり、その後、ＯＥ１はハイレベルとなる。出力制御部９ａは、その２Ｔの長さの期間、電位出力端Ｑ１から所定のオン電位ＶｇＨを出力し、その後、所定のオフ電位ＶｇＬを出力する。
【００７２】
この結果、そのＧＣＬＫの立ち上がりエッジから選択期間Ｔの間、液晶パネル５の第２行のゲートラインの電位は、所定のオン電位ＶｇＨとなる。また、そのＧＣＬＫの立ち上がりエッジから２Ｔの長さの期間、液晶パネル５の第１行のゲートラインの電位は、所定のオン電位ＶｇＨとなる。また、そのＧＣＬＫの立ち上がりエッジから選択期間Ｔの間、ソースドライバ３は、タイミングコントローラ４に従って、各ソースラインの電位を、第２行の各画素の画像データに応じた電位に設定する。従って、ＧＣＬＫの立ち上がりエッジから選択期間Ｔの間に第２行の各画素電極は対応するソースラインと等電位になり、各画素電極とコモン電極３０（図１参照）の電位Ｖ０との電位差によって、第２行の各画素が、第２行の画像データに応じた表示状態となる。なお、このとき、第１行のゲートラインの電位も所定のオン電位ＶｇＨであるので、第１行の各画素も、第２行の画像データに応じた表示状態となる。
【００７３】
選択期間Ｔが終了すると、第２行のゲートラインの電位は、所定のオフ電位ＶｇＬになり、第２行の表示状態が維持される。選択期間Ｔの終了後も、第１行のゲートラインの電位は、所定のオン電位ＶｇＨに設定されている。そして、選択期間Ｔが終了後、上記の２Ｔの長さの期間が終了するまで、ソースドライバ３は、タイミングコントローラ４に従って、各ソースラインの電位を、第１行の各画素の画像データに応じた電位に設定する。よって、選択期間Ｔが終了後、上記の２Ｔの長さの期間が終了するまでの間に、第１行の各画素電極は対応するソースラインと等電位になり、各画素電極とコモン電極３０の電位Ｖ０との電位差によって、第１行の各画素が、第１行の画像データに応じた表示状態となる。上記の２Ｔの長さの期間が終了すると、第１行のゲートラインの電位は、所定のオフ電位ＶｇＬになり、第１行の表示状態が維持される。
【００７４】
電位出力部８ａおよび電位出力部８ｂは、次のＧＣＬＫの立ち上がりエッジを検出すると、所定のオン電位ＶｇＨを出力する電位出力端をＲ１からＲ２に切り替える。また、このＧＣＬＫの立ち上がりエッジから、選択期間Ｔの間、ＯＥ２はローレベルであり、その後、ＯＥ２はハイレベルとなる。また、そのＧＣＬＫの立ち上がりエッジから２Ｔの長さの期間、ＯＥ１はローレベルであり、その後、ＯＥ１はハイレベルとなる。この結果、上記の場合と同様に、第４行の各画素が、第４行の画像データに応じた表示状態となり、第３行の各画素が、第３行の画像データに応じた表示状態となる。
【００７５】
以降、同様に、各行が画像データに応じた表示状態となることで、画像が表示される。
【００７６】
そして、タイミングコントローラ４、第１のゲートドライバ１、第２のゲートドライバ２およびソースドライバ３は、フレームＡでの動作と、フレームＢでの動作を、フレーム毎に切り替えて実行する。
【００７７】
本実施形態によれば、フレームＡでは、ソースドライバ３が、各ソースラインの電位を、偶数番目の行の各画素の画像データに応じた電位に設定するときに、既にその偶数番目の行のゲートラインに対する所定のオン電位ＶｇＨの設定が開始されている。従って、液晶パネル５の高解像度化のため、ＧＣＬＫの切り替え周期Ｓ（図６参照）を短くする必要があり、それに伴い、選択期間Ｔを短くする必要がある場合であっても、偶数番目の行のゲートラインに対する所定のオン電位ＶｇＨの設定期間を選択期間Ｔよりも長くとることができ、表示品位の低下を防止することができる。
【００７８】
同様に、フレームＢでは、ソースドライバ３が、各ソースラインの電位を、奇数番目の行の各画素の画像データに応じた電位に設定するときに、既にその奇数番目の行のゲートラインに対する所定のオン電位ＶｇＨの設定が開始されている。従って、選択期間Ｔを短くする必要がある場合であっても、奇数番目の行のゲートラインに対する所定のオン電位ＶｇＨの設定期間を選択期間Ｔよりも長くとることができ、表示品位の低下を防止することができる。
【００７９】
［実施形態２］第２の実施形態の構成は、図２に示す構成と同様である。また、第１のゲートドライバ１および第２のゲートドライバ２の構成も、図５に示す構成と同様である。
【００８０】
ただし、第２の実施形態では、タイミングコントローラ４、第１のゲートドライバ１、第２のゲートドライバ２およびソースドライバ３は、各フレームで、前述のフレームＡでの動作を行う。この動作については、第１の実施形態で既に説明しているので、ここでは説明を省略する。従って、第２の実施形態の液晶表示装置は、各フレームで共通の動作を行い、第１の実施形態で示したフレームＢでの動作は行わない。
【００８１】
第２の実施形態においても、ソースドライバ３が、各ソースラインの電位を、偶数番目の行の各画素の画像データに応じた電位に設定するときに、既にその偶数番目の行のゲートラインに対する所定のオン電位ＶｇＨの設定が開始されている。よって、選択期間Ｔを短くする必要がある場合であっても、偶数番目の行のゲートラインに対する所定のオン電位ＶｇＨの設定期間を選択期間Ｔよりも長くとることができ、表示品位の低下を防止することができる。
【００８２】
また、上記の各実施形態において、個々の画素の極性をフレーム毎に反転させることが好ましい。個々の画素の極性をフレーム毎に反転させる方法として、列ライン反転駆動がある。列ライン反転駆動を採用する場合、個々のソースラインの電位は、新たなフレーム開始時に、Ｖ０より低い電位からＶ０より高い電位に、あるいは、Ｖ０より高い電位からＶ０より低い電位に変化する。このため、消費電力が大きくなる。このような消費電力の増加を抑えるために、ソースドライバ３は、フレームの終了後、次のフレームの開始までの期間内で、個々のソースラインに接続される各接続端子同士を短絡させることが好ましい。フレーム間で、ソースドライバ３が、ソースラインに接続される各接続端子同士を短絡させると、各ソースラインの電位は、Ｖ０に近い電位になる。よって、ソースドライバ３は、新たなフレームの開始時に、個々のソースラインの電位を、約Ｖ０から、Ｖ０より高い電位に変化させたり、約Ｖ０から、Ｖ０より低い電位に変化させたりすればよい。従って、列ライン反転駆動を採用する場合に、消費電力を抑えることができる。
【産業上の利用可能性】
【００８３】
本発明は、奇数番目の行のゲートラインに対応するゲート駆動部と、偶数番目の行のゲートラインに対応するゲート駆動部とを備える液晶表示装置に好適に適用される。
【符号の説明】
【００８４】
１  第１のゲートドライバ
２  第２のゲートドライバ
３  ソースドライバ
４  タイミングコントローラ
５  液晶パネル
８ａ，８ｂ  電位出力部
９ａ，９ｂ  出力制御部
【図１】
2014224916.tif 000003
【図２】
2014224916.tif 000004
【図３】
2014224916.tif 000005
【図４】
2014224916.tif 000006
【図５】
2014224916.tif 000007
【図６】
2014224916.tif 000008
【図７】
2014224916.tif 000009
【図８】
2014224916.tif 000010